(57)【要約】      （修正有）【課題】台紙を構成するシート片が不用意に剥離するおそれがなく、また特殊な手段を用いることなく不法な開封を防止することができ、さらに台紙とブリスターケースの分離、分別も容易に行うことができる、ブリスターパックを提供する。【解決手段】被包装物を収容可能な収容部６を有するとともに該収容部６の開口部の端縁から外側に延設されたフランジ部２ｂを有するブリスターケース２と、該ブリスターケース２を固定するための台紙１を具備して構成されたブリスターパックにおいて、前記一方のシート片１ａと他方のシート片１ｂを接着する接着剤として感圧性接着剤が用いられ、且つ該感圧性接着剤を浸透させる接着剤浸透溝５ａ、５ｂが、前記対面する一方のシート片１ａと他方のシート片１ｂとの内面側の少なくともいずれかに形成されていることを特徴とするブリスターパック。【選択図】図２
2011031967.tif 000002
【特許請求の範囲】
【請求項１】
被包装物を収容可能な収容部（６）を有するとともに該収容部（６）の開口部の端縁から外側に延設されたフランジ部（２ｂ）を有するブリスターケース（２）と、該ブリスターケース（２）を固定するための台紙（１）とを備え、該台紙（１）は、前記ブリスターケース（４）を挿入しうる孔部（４）が形成された一方のシート片（１ａ）と、該一方のシート片（１ａ）に対面させた状態で接着される他方のシート片（１ｂ）との少なくとも２枚のシート片を具備して構成されたブリスターパックにおいて、前記一方のシート片（１ａ）と他方のシート片（１ｂ）を接着する接着剤として感圧性接着剤が用いられ、且つ該感圧性接着剤を浸透させる接着剤浸透溝（５）が、前記対面する一方のシート片（１ａ）と他方のシート片（１ｂ）との内面側の少なくともいずれかに形成されていることを特徴とするブリスターパック。
【発明の詳細な説明】
【技術分野】
【０００１】
本発明は、ブリスターパック、さらに詳しくは、化粧品、玩具、医薬品、食品等の各種の被包装物を収容可能なブリスターケースと、そのブリスターケースを固定するための台紙とを備えたブリスターパックに関する。
【背景技術】
【０００２】
従来、化粧品、玩具、医薬品、食品等の各種の被包装物を収容可能なブリスターケースを台紙に固定した形態のブリスターパックは、そのブリスターケースが透明であり、被包装物を外部から透視して見ることができるので、商品の包装用として各種の分野で広く用いられている。
【０００３】
このようなブリスターパックに関する特許出願として、たとえば下記特許文献１のような特許出願がなされている。この種のブリスターパックにおいては、当該特許文献１の明細書の第２頁第７行目〜第９行目にも記載されているように、取り扱い中にブリスターケースが台紙から不用意に剥離することのないよう、台紙とブリスターケースが十分に接着していることが要求される。そのために、当該特許文献１に係る発明では、台紙の紙に含浸用樹脂液を含浸及び固化させるとともに、その表面に接着剤層を形成して接着力を高めている。
【０００４】
その接着剤層としては、当該特許文献１の明細書の第５頁第１４行目〜第２０行目にも記載されているように、アイオノマー樹脂、エチレン−酢酸ビニル共重合樹脂、エチレン−アクリル酸系共重合樹脂等の感熱接着剤が用いられている。この特許文献１に係る発明に限らず、従来のブリスターパックにおいては、台紙とブリスターケースの接着にはほとんど感熱接着剤が用いられている。
【０００５】
その一方で、廃棄物の減量化や紙の再資源化等の観点からは、使用後に台紙とブリスターケースとの分離を容易にして、分別回収等の便宜を図ることも要求される。たとえば下記特許文献２や特許文献３に係る発明は、そのような観点からなされたもので、これら特許文献２や特許文献３に記載されたブリスターパックは、いずれも台紙を２つ折り可能な２枚のシート片で構成し、その一方のシート片にブリスターケースを挿入する孔を穿設するとともに、その孔にブリスターケースを挿入し、ブリスターケースのフランジ部を２枚のシート片で挟持しつつ、その２枚のシート片間を糊性の接着剤で接着した構成からなるものである。
【０００６】
しかし、台紙とブリスターケースを接着するのではなく、相対面する台紙のシート片間を接着するものであるとはいえ、糊性の接着剤を介してシート片間が接着されているので、その接着力は決して十分であるとはいえない。そのように接着力が十分でないと、シート片間が剥離されてブリスターパックが不法に開封され、被包装物である商品が抜き取られるおそれがある。
【０００７】
そのような不法開封の防止を目的として、たとえば下記特許文献４及び特許文献５に係る発明もなされている。当該特許文献４の明細書の段落［０００３］や、特許文献５の明細書の段落［０００３］には、不法な開封のことがそれぞれ具体的に記載されている。
【０００８】
しかしながら、特許文献４に係る発明は、当該特許文献４の請求項１にも記載されているように、改ざん防止インキを印刷して上記不法な開封を防止するものであり、また特許文献５に係る発明は、当該特許文献５の請求項１にも記載されているように、シート状のホログラムを用いて上記不法な開封を防止するものであり、いずれも特殊な手段を用いているので、ブリスターパックの製造コストが高くつくことになる。
【先行技術文献】
【特許文献】
【０００９】
【特許文献１】実開平２−７４４００号公報
【特許文献２】特開２００３−２３７８３５号公報
【特許文献３】特開２０００−２０３６３４号公報
【特許文献４】特開２００４−２６２９７号公報
【特許文献５】特開２００５−２１２８１１号公報
【発明の概要】
【発明が解決しようとする課題】
【００１０】
本発明は、上述のような問題点をすべて解決するためになされたもので、台紙を構成するシート片間の接着力が良好で上記特許文献２及び３に係る発明のようにシート片間が不用意に剥離するおそれがなく、また上記特許文献４及び５に係る発明のように特殊な手段を用いることなく不法な開封を防止することができ、さらに台紙とブリスターケースの分離、分別も容易に行うことができる、ブリスターパックを提供することを課題とする。
【課題を解決するための手段】
【００１１】
本発明は、上記課題を解決するためになされたもので、被包装物を収容可能な収容部を有するとともに該収容部の開口部の端縁から外側に延設されたフランジ部を有するブリスターケースと、該ブリスターケースを固定するための台紙とを備え、該台紙は、前記ブリスターケースを挿入しうる孔部が形成された一方のシート片と、該一方のシート片に対面させた状態で接着される他方のシート片との少なくとも２枚のシート片を具備して構成されたブリスターパックにおいて、前記一方のシート片と他方のシート片を接着する接着剤として感圧性接着剤が用いられ、且つ該感圧性接着剤を浸透させる接着剤浸透溝が、前記対面する一方のシート片と他方のシート片との内面側の少なくともいずれかに形成されていることを特徴とするブリスターパックを提供する。
【発明の効果】
【００１２】
本発明のブリスターパックは、上述のように、接着剤浸透溝が、台紙の対面する一方のシート片と他方のシート片との内面側の少なくともいずれかに形成されているものであるため、接着剤を、台紙の対面する一方のシート片と他方のシート片との内面側の少なくともいずれかに塗布して台紙の両シート片間を接着すると、塗布された接着剤は接着剤浸透溝に浸透し、その結果、台紙を構成する紙の繊維間に浸透することとなるので、接着剤が感熱性のものではなく、感圧性の接着剤であるにもかかわらず、両シート片間の接着力が著しく良好なものとなる。従って、感圧性接着剤の接着力強度の問題点が改善されることとなる。
【００１３】
また、接着剤が接着剤浸透溝に浸透し、台紙を構成する紙の繊維間に浸透しているので、開封時に両シート片間を剥離したとき、シート片の表面が破壊されることとなり、再封が不可能となって、結果的に改ざん防止がなされることとなる。従って、上記特許文献４や特許文献５に係る発明のように、特別な手段を講じなくても、改ざん防止の効果が生じることとなる。
【００１４】
さらに、接着剤として感圧性の接着剤を用いているので、上記のようにシート片の表面が破壊されたとしても、両シート片間を剥離することによって台紙とブリスターケースとの分離は容易に行うことができ、その結果、台紙とブリスターケースとの分別も可能となる。
【００１５】
さらに、感熱性の接着剤を用いず、感圧性の接着剤を用いているので、非包装物に対して熱による影響を与えることがなく、また感熱性の接着剤を用いないので、熱シールによって台紙がカールするようなこともない。
【図面の簡単な説明】
【００１６】
【図１】一実施形態としてのブリスターパックの平面図。
【図２】図１のＡ−Ａ線断面図。
【図３】図１のＢ−Ｂ線断面図。
【図４】図３のＣ部拡大断面図。
【図５】台紙の折曲部分を展開した状態の平面図。
【図６】他実施形態のブリスターパックの台紙の折曲部分を展開した状態の平面図。
【図７】他実施形態のブリスターパックの台紙の折曲部分を展開した状態の平面図。
【図８】他実施形態のブリスターパックの台紙の折曲部分を展開した状態の平面図。
【図９】他実施形態のブリスターパックの台紙の折曲部分を展開した状態の平面図。
【発明を実施するための形態】
【００１７】
以下、一実施形態のブリスターパックについて図面に従って説明する。一実施形態のブリスターパックは、図１乃至図３に示すように、台紙１と、ブリスターケース２とで構成されている。
【００１８】
台紙１は、図２乃至５に示すように、折曲部３を介して連設された２枚のシート片１ａ、１ｂからなる。２枚のシート片１ａ、１ｂは、それぞれ平面視で略正方形状に形成されている。図５に示すように、一方のシート片１ａの中央に近い位置には、ブリスターケース２を挿入するための孔４が穿設されており、他方のシート片１ｂには、接着剤８を浸透させるための接着剤浸透溝５が形成されている。この接着剤浸透溝５は、図４に示すように、他方のシート片１ｂの表面を、裏面側に貫通させないように切削した、いわゆるハーフカットの状態に形成されている。
【００１９】
そして、この接着剤浸透溝５は、図５に示すように、外側及び内側に配置された２つの接着剤浸透溝５ａ、５ｂによって構成される。この接着剤浸透溝５のうち、外側に形成された接着剤浸透溝５ａは、他方のシート片１ｂの周縁部に近い外周部分に形成されており、図５に示すように、平面視において、異なる方向に向いた斜線を交互に多数接続した連続屈曲線状に形成されている。この連続屈曲線状の形態は、一般にはいわゆるギザギザの状態と認識されるものである。
【００２０】
内側に形成された接着剤浸透溝５ｂは、他方のシート片１ｂの中央に近い位置であって、折曲部３を介して両シート片１ａ、１ｂを折り曲げたときに、該他方のシート片１ｂの内側に形成された接着剤浸透溝５ｂが、一方のシート片１ａの孔４のわずか外側に位置するような位置に形成されている。
【００２１】
この内側の接着剤浸透溝５ｂも、前記外側の接着剤浸透溝５ａと同様に、平面視において、異なる方向に向いた斜線を交互に多数接続した連続屈曲線状に形成されている。ただし、その連続屈曲線を構成する斜線の寸法は、前記外側の接着剤浸透溝５ａの連続屈曲線を構成する斜線の寸法に比べて短く、その結果、外側の接着剤浸透溝５ａに比べてピッチの小さなギザギザの状態と認識されるように形成されている。
【００２２】
ブリスターケース２は、被包装物を収容するための収容部６を有する凸状のケース本体部２ａと、該ケース本体部２ａの開口部７の端縁から外側に延設されたフランジ部２ｂとで構成されている。このブリスターケース２は、全体が合成樹脂で構成され、収容部６に収容される被包装物を外部から透視できるように、透明に形成されている。ブリスターケース２は、図１に示すように、平面視で略長方形状に形成されている。
【００２３】
そして、このような台紙１とブリスターケース２とで構成されるブリスターパックは、図２及び図３に示すように、台紙１の一方のシート片１ａの孔４にブリスターケース２のケース本体部２ａを挿入するとともに、該孔４からケース本体部２ａを突出させ、その状態で、台紙１の両シート片１ａ、１ｂの内面側に感圧性の接着剤８を塗布し、さらに台紙１の折曲部３を介して両シート片１ａ、１ｂを折り曲げることによって、両シート片１ａ、１ｂの内面側が相互に接着されるとともに、図２及び図３に示すように、ブリスターケース２のフランジ部２ｂが、前記台紙１の両シート片１ａ、１ｂ間で挟持、固定されることによって構成されたものである。尚、感圧性の接着剤８は、図２及び図３においては、ブリスターケース２のフランジ部２ｂには設けられておらず、台紙１の両シート片１ａ、１ｂ間のみに設けられているが、ブリスターケース２のフランジ部２ｂと台紙１の両シート片１ａ、１ｂとの間にそれぞれ設けることも可能である。
【００２４】
台紙１を構成する紙としては、たとえば晒クラフト紙、半晒クラフト紙、片艶クラフト紙、上質紙等、任意の材質のものを用いることができる。またブリスターケース２は主として合成樹脂で構成され、その合成樹脂としては、たとえばポリエチレン、ポリプロピレン、ポリエステル、ポリ塩化ビニル、ポリスチレン等の任意のものが用いることができる。さらに感圧性の接着剤としては、たとえば天然ゴム系、合成ゴム系、スチレンブロック共重合体、ポリビニルエーテル、ポリアクリル酸、ポリメタクリル酸、ポリオレフィン系、シリコーン樹脂系等の任意のものが用いられる。
【００２５】
このようにして構成されたブリスターパックにおいて、台紙の他方のシート片１ｂには、接着剤を浸透させるための接着剤浸透溝５が外側及び内側に形成されているため、両シート片１ａ、１ｂが折り曲げられて感圧性接着剤８を介して接着された状態において、図４に示すように、感圧性接着剤８が接着剤浸透溝５に浸透する。このように接着剤浸透溝５に浸透した感圧性接着剤８は、その接着剤浸透溝５を起点として、さらに台紙１を構成する紙の繊維間に浸透することとなる。この結果、両シート片１ａ、１ｂ間の接着力が著しく良好なものとなる。
【００２６】
特に、この接着剤浸透溝５を構成する外側及び内側の２つの接着剤浸透溝５ａ、５ｂは、上述のように、シート片１ｂの平面視において、異なる方向に向いた斜線を交互に多数接続した連続屈曲線状に形成されたものであるので、たとえば接着剤浸透溝５が平面視においてシート片１ｂの周縁部と平行な直線状に形成された場合に比べると、連続屈曲線状に形成された接着剤浸透溝５ａ、５ｂの線分の総寸法が非常に長くなり、その分、接着剤浸透溝５ａ、５ｂに浸透する接着剤８の量が増えて接着強度が増大することとなる。
【００２７】
いずれにしても、本実施形態においては、線分の総寸法が長くなるように、平面視において連続屈曲線状に形成された接着剤浸透溝５ａ、５ｂに接着剤８が浸透し、さらに紙の繊維間に浸透することとなるので、台紙１のシート片１ａ、１ｂ間の接着力が著しく良好なものとなり、不用意にシート片１ａ、１ｂ間が剥離するようなこともない。
【００２８】
一方、このような構成からなるブリスターパックを開封する場合には、台紙１のシート片１ａ、１ｂ間を強制的に剥離することによって開封することができる。この場合において、台紙１のシート片１ａ、１ｂ間は感圧性の接着剤８を介して接着され、且つその接着剤は上述のように接着剤浸透溝５に浸透して接着力が強固となっているので、シート片１ａ、１ｂ間を強制的に剥離すると、相互に対面するシート片１ａ、１ｂの内面側表面が破壊されることとなる。
【００２９】
従って、両シート片１ａ、１ｂ間を再接着してブリスターパックを再封することが不可能となり、結果的に改ざん防止がなされることとなる。このように、ハーフカットの接着剤浸透溝５を形成するという簡易な手段によって、従来の改ざん防止用インクやホログラムのような特別な手段を講じなくても、改ざん防止の効果が生じることとなるのである。
【００３０】
また、感熱性の接着剤ではなく、感圧性の接着剤を用いているので、シート片１ａ、１ｂの内面側表面が破壊されたとしても、両シート片間を剥離することによって台紙１とブリスターケース２との分離は容易に行うことができ、その結果、台紙１とブリスターケース２との分別も可能となる。
【００３１】
尚、上記実施形態では、接着剤浸透溝５として、平面視において、異なる方向に向いた斜線を交互に多数接続した連続屈曲線状に形成された２つの接着剤浸透溝５ａ、５ｂが、外側及び内側に配置されていたが、接着剤浸透溝５の平面視における形態は上記実施形態に限定されるものではない。
【００３２】
たとえば、図６に示すように、平面視で略正方形状となるような軌道を形成すべく、連続した点線状となるように外側に配置された接着剤浸透溝５ａと、その略正方形状の軌道を形成する接着剤浸透溝５ａの四角のコーナー部７から斜め内向きに配向された内側の接着剤浸透溝５ｂとからなるように構成されたものであってもよい。
【００３３】
また、たとえば図７に示すように、すなわちシート片１ｂの周縁部の方向と直交する方向に多数の短線が断続的に形成され、それら断続的に形成された多数の短線によって、全体として平面視で略正方形状となるような軌道を形成すべく構成されたようなものであってもよい。
【００３４】
さらに、上記実施形態では、接着剤浸透溝５として、いわゆるハーフカットの状態に形成されたものを採用したが、接着剤浸透溝５を形成する手段は、ハーフカットのように部分的に切削する手段に限らず、たとえばエンボス加工と称されるような手段を採用することも可能であり、接着剤浸透溝５を形成する手段は問うものではない。
【００３５】
さらに、上記実施形態では、接着剤浸透溝５が台紙１の他方のシート片１ｂ側のみに形成されていたが、これに限らず、接着剤浸透溝５は台紙１の一方のシート片１ａと他方のシート片１ｂの双方に形成することも可能である。このように一方のシート片１ａと他方のシート片１ｂの双方に形成するものとしては、たとえば図８に示すように、他方のシート片１ｂの周縁部に近い外周部分に、上記図５に示したものと同様の連続屈曲線状の接着剤浸透溝５ａを形成し、一方のシート片１ａには、孔４のわずか外側に、上記図５に示したものと同様の連続屈曲線状の接着剤浸透溝５ｂを形成したようなものが例示される。
【００３６】
さらに、接着剤浸透溝５は、台紙１の一方のシート片１ａ側のみに形成することも可能である。このように一方のシート片１ａ側のみに形成するものとしては、たとえば図９に示すように、一方のシート片１ａの周縁部に近い外周部分に、上記図５に示したものと同様の連続屈曲線状の接着剤浸透溝５ａを形成するとともに、該一方のシート片１ａの孔４のわずか外側に、上記図５に示したものと同様の連続屈曲線状の接着剤浸透溝５ｂを形成したようなものが例示される。
【００３７】
さらに、上記実施形態では、台紙１が２枚のシート片１ａ、１ｂで構成されていたが、３枚のシート片で構成することも可能である。その場合には、３枚のシート片のうち、２枚のシート片間でブリスターケース２のフランジ部２ｂが挟持、固定されることとなり、他の１枚のシート片はブリスターケース２の固定に直接寄与せず、たとえば印刷用等として専ら利用されることとなる。この観点から、４枚以上のシート片で台紙１を構成することも可能である。
【００３８】
さらに、シート片１ａ、１ｂの形状も、上記実施形態の平面視で略正方形状のものに限らず、略長方形状、略三角形状、略楕円形状のものであってもよく、その形状は問わない。同様にブリスターケース２の形状も、上記実施形態の平面視で略長方形状のものに限らず、略正方形状、略三角形状、略楕円形状のものであってもよく、その形状は問わない。従って、シート片１ａに形成される孔４の形状も、ブリスターケース２の形状に応じて任意に変更可能である。
【００３９】
尚、本発明のブリスターパックの用途も、化粧品、医薬品、食品等、その用途は問うものではない。
【符号の説明】
【００４０】
１  台紙
２  ブリスターケース
４  孔
５  接着剤浸透溝
６  収容部
【図１】
2011031967.tif 000003
【図２】
2011031967.tif 000004
【図３】
2011031967.tif 000005
【図４】
2011031967.tif 000006
【図５】
2011031967.tif 000007
【図６】
2011031967.tif 000008
【図７】
2011031967.tif 000009
【図８】
2011031967.tif 000010
【図９】
2011031967.tif 000011